(57)【要約】【課題】蓄積した印刷データのページ単位での編集が容易に行え、利用者の利便性を向上させる。【解決手段】入力された印刷データに基づいて印刷する印刷装置において、前記印刷データを装置内に蓄積する記憶装置１５と、前記記憶装置１５に蓄積されたデータのビットマップの内容を操作パネル４上に表示し、あるいはネットワークを介して接続されたパーソナルコンピュータ２３に表示し、前記記憶装置１５に蓄積された印刷データの内容を表示して閲覧しながら操作パネル４あるいはパーソナルコンピュータ２３から任意のデータ内の任意のページを指定して印刷データをページ単位で編集する。【選択図】図２
2006123319.tif 000002
【特許請求の範囲】
【請求項１】
入力された印刷データに基づいて印刷する印刷装置において、
前記印刷データを装置内に蓄積する記憶手段と、
前記記憶手段に蓄積されたデータのビットマップの内容を操作パネル上に、あるいはネットワークを介して接続されたパーソナルコンピュータ上に表示する表示手段と、
前記記憶手段に蓄積された印刷データの内容を前記表示手段上で閲覧しながら前記表示操作パネルあるいは前記パーソナルコンピュータから任意のデータ内の任意のページを指定して印刷データをページ単位で編集する編集手段と、
を備えていることを特徴とする印刷装置。
【請求項２】
前記編集手段は、前記印刷データに対してページの入れ替え、削除、及び複製の少なくとも１つの機能を備えていることを特徴とする請求項１記載の印刷装置。
【請求項３】
前記編集手段は、前記記憶手段に蓄積されたデータが複数あるとき、前記蓄積データのうち２つを選択し、一方のデータを他方のデータの任意の位置に挿入する機能を備えていることを特徴とする請求項１記載の印刷装置。
【請求項４】
前記編集手段は、前記記憶手段に蓄積されたデータが複数あるとき、前記蓄積データのうち２つを選択し、一方のデータの任意の一部分のページを、他方のデータの任意の一部分のページと相互に入れ替える機能を備えていることを特徴とする請求項１記載の印刷装置。
【請求項５】
前記編集手段は、前記記憶手段に蓄積されたデータが複数あるとき、前記蓄積データのうち２つを選択し、一方のデータの任意の一部分のページを、他方のデータの任意の位置に挿入する機能を備えていることを特徴とする請求項１記載の印刷装置。
【請求項６】
請求項１ないし５のいずれか１項に記載の印刷装置と、
前記印刷装置に接続された情報処理装置と、
を備え、前記印刷装置内の記憶手段に蓄積されるデータと互換性を持つデータを前記情報処理装置で作成し、前記印刷装置の前記編集手段は、当該編集手段に設定された機能により前記記憶手段に蓄積されたデータと前記情報処理装置で作成されたデータとを等価にページ単位で印刷データを編集することを特徴とする印刷システム。
【請求項７】
請求項１ないし５のいずれか１項に記載の印刷装置と、
前記印刷装置に接続された情報処理装置と、
を備え、前記印刷装置内の記憶手段に記憶させる旨の指示がない印刷データを前記記憶手段に記憶させ、前記編集手段は、後から指示があったときにページ単位で印刷データを編集した後、再印刷を行わせることを特徴とする印刷システム。
【請求項８】
入力された印刷データに基づいて印刷する印刷方法において、
前記印刷データを装置内に蓄積し、
前記蓄積されたデータのビットマップの内容を操作パネルまたはネットワークを介して接続されたパーソナルコンピュータの表示手段上に表示し、
表示された印刷データの内容を閲覧しながら前記操作パネルあるいは前記パーソナルコンピュータから任意のデータ内の任意のページを指定して印刷データをページ単位で編集し、印刷させることを特徴とする印刷方法。
【発明の詳細な説明】
【技術分野】
【０００１】
本発明は、入力された印刷データに基づいて記録媒体に印刷するプリンタ等の印刷装置、前記印刷装置にスキャナやファクシミリが接続された複写機、ファクシミリ装置、あるいはこれらの機能を有する複合機などの印刷システム、及びこれらの印刷装置及び複合機で実施される印刷方法に関する。
【背景技術】
【０００２】
印刷装置において印刷を指示すると、例えば複写機であればスキャナに原稿をスキャンさせることにより、プリンタやファクシミリであれば印刷すべき内容が特定の形式にて通信回線を介して送られてくるデータを解析することにより、印刷データを生成し、この印刷データに基づいて印刷が行われる。この印刷データは装置内部ではファイルという単位でまとめられ、他の印刷データと明確に区別されている。
【０００３】
一方、この種の装置として、例えば特許文献１あるいは２に開示された発明が公知である。このうち、特許文献１には、複数のジョブを結合して１つの結合ジョブを作成し、不具合のない印刷結果をユーザに提供するために、複数の印刷ジョブを１つの結合ジョブにする結合指示がなされた場合に、複数の印刷ジョブの印刷設定情報を解析し、１つの印刷ジョブに対して１つしか設定できない情報を統一した結合ジョブ用の印刷設定情報を生成する技術が開示されている。
【０００４】
また、特許文献２には、電子文書と紙文書をもとに１つの印刷ジョブを構成するデータを生成し、一括印刷処理を実行するプリンタを提供するために、電子文書を蓄積し得るデータ蓄積手段、このデータ蓄積手段からのデータをもとに印刷データを生成するデータ処理手段を備えたプリンタにおいて、前記データ処理手段が、前記データ蓄積手段に蓄積された電子文書データと、紙文書から読み取られ電子化された紙文書データとを纏め、１印刷ジョブの印刷データを生成するようにした技術が開示されている。
【特許文献１】特開２００１−１３４３９４公報
【特許文献２】特開２００１−１７１２００公報
【発明の開示】
【発明が解決しようとする課題】
【０００５】
前述のように従来からある印刷装置においては、前記特許文献１及び２に開示されているようにファイルを単位として複数ファイルを連結しての印刷が可能なものも存在し、利用者の利便性向上に貢献してきたが、これらの方法では、蓄積された印刷データの内容に誤りがないことが前提となっており、その前提の上での利便性向上に過ぎなかった。すなわち、ある印刷データを印刷した時に、
（１）ページ順に誤りがある。  
（２）不要なページまで印刷されている。  
（３）必要なはずのページが不足している。  
などの問題が発見された場合、手作業でページ順の入れ替えや不要ページの抜き取り、必要ページの補充等を行わなければならず、もし、大量部数の印刷を印刷を行ってしまってからでは大変な労力を必要としてしまう。
【０００６】
こうした問題の解決を図るために、印刷データは装置内に蓄積して１部のみ印刷し、印刷結果を確認した後、残り部数を利用者の指示によって印刷を行わせる試し印刷の機能を持たせたり、印刷データを装置内に蓄積し、操作パネルやネットワークを介して接続されているＰＣ上から印刷しようとしている画像を閲覧可能にする機能を持たせるなどの方策がとられていたが、そもそも本質的に誤りを含む印刷データそのものを修正できるわけではなく、根本的な解決には至っていなかった。
【０００７】
本発明は、このような従来技術の実情に鑑みてなされたもので、その目的は、蓄積した印刷データのページ単位での編集が容易に行え、利用者の利便性を向上させることができるようにすることにある。
【課題を解決するための手段】
【０００８】
前記目的を達成するため、第１の手段は、入力された印刷データに基づいて印刷する印刷装置において、前記印刷データを装置内に蓄積する記憶手段と、前記記憶手段に蓄積されたデータのビットマップの内容を操作パネル上に、あるいはネットワークを介して接続されたパーソナルコンピュータ上に表示する表示手段と、前記記憶手段に蓄積された印刷データの内容を前記表示手段上で閲覧しながら前記表示操作パネルあるいは前記パーソナルコンピュータから任意のデータ内の任意のページを指定して印刷データをページ単位で編集する編集手段とを備えていることを特徴とする。
【０００９】
第２の手段は、第１の手段において、前記編集手段が、前記印刷データに対してページの入れ替え、削除、及び複製の少なくとも１つの機能を備えていることを特徴とする。
【００１０】
第３の手段は、第１の手段において、前記記憶手段に蓄積されたデータが複数あるとき、前記編集手段が前記蓄積データのうち２つを選択し、一方のデータを他方のデータの任意の位置に挿入する機能を備えていることを特徴とする。
【００１１】
第４の手段は、第１の手段において、前記記憶手段に蓄積されたデータが複数あるとき、前記編集手段が前記蓄積データのうち２つを選択し、一方のデータの任意の一部分のページを、他方のデータの任意の一部分のページと相互に入れ替える機能を備えていることを特徴とする。
【００１２】
第５の手段は、第１の手段において、前記記憶手段に蓄積されたデータが複数あるとき、前記編集手段は、前記蓄積データのうち２つを選択し、一方のデータの任意の一部分のページを、他方のデータの任意の位置に挿入する機能を備えていることを特徴とする。
【００１３】
第６の手段は、第１ないし第５のいずれかの手段に係る印刷装置と、前記印刷装置に接続された情報処理装置とを備え、前記印刷装置内の記憶手段に蓄積されるデータと互換性を持つデータを前記情報処理装置で作成し、前記印刷装置の前記編集手段は、当該編集手段に設定された機能により前記記憶手段に蓄積されたデータと前記情報処理装置で作成されたデータとを等価にページ単位で印刷データを編集する印刷システムを特徴とする。
【００１４】
第７の手段は、第１ないし第５のいずれかの手段に係る印刷装置と、前記印刷装置に接続された情報処理装置とを備え、前記印刷装置内の記憶手段に記憶させる旨の指示がない印刷データを前記記憶手段に記憶させ、前記編集手段は、後から指示があったときにページ単位で印刷データを編集した後、再印刷を行わせる印刷システムを特徴とする。
【００１５】
第８の手段は、入力された印刷データに基づいて印刷する印刷方法において、前記印刷データを装置内に蓄積し、前記蓄積されたデータのビットマップの内容を操作パネルまたはネットワークを介して接続されたパーソナルコンピュータの表示手段上に表示し、表示された印刷データの内容を閲覧しながら前記操作パネルあるいは前記パーソナルコンピュータから任意のデータ内の任意のページを指定して印刷データをページ単位で編集し、印刷させることを特徴とする。
【００１６】
なお、以下の実施形態において、印刷装置は印刷装置１あるいはプリンタ１に、記憶手段はＮＶ−ＲＡＭ１１あるいは記憶装置１５に、表示手段は操作パネル４あるいはＰＣ２３に、編集手段及び情報処理装置はＰＣ２３にそれぞれ対応する。
【発明の効果】
【００１７】
本発明によれば、記憶手段に蓄積された印刷データの内容を前記表示手段上で閲覧しながら前記表示操作パネルあるいは前記パーソナルコンピュータから任意のデータ内の任意のページを指定して印刷データをページ単位で編集するので、蓄積した印刷データのページ単位での編集が容易に行え、利用者の利便性を向上させることができる。
【発明を実施するための最良の形態】
【００１８】
以下、本発明の実施形態について図面を参照して説明する。なお、以下の説明において同等な各部には同一の参照符号を付し、重複する説明は適宜省略する。
【００１９】
１．第１の実施形態
図１は本発明の第１の実施形態に係る印刷装置の一例としてのレーザープリンタのハード構成を示すブロック図である。同図において、プリンタ１はコントローラ２、操作パネル４及びプリンタエンジン１３からなる。コントローラ２は、その時設定されている制御モード及びホスト３からの制御コードに従って、ホスト３からの印字データを、ビデオデータに変換してプリンタエンジン１３へ出力する制御機構の総称で、ホストＩ／Ｆ５、プログラムＲＯＭ６、フォントＲＯＭ７、パネルＩ／Ｆ８、ＣＰＵ９、ＲＡＭ１０、ＮＶ−ＲＡＭ１１、エンジンＩ／Ｆ１２、オプションＲＡＭ１４を備えたモジュールで構成される。
【００２０】
ホストＩ／Ｆ５は、ホスト３からプリンタ１への制御信号およびデータ、プリンタ１からホスト３へのステータス信号のインターフェースである。ＣＰＵ９は、プログラムＲＯＭ６に従ってホスト３からのデータ（印字データ、制御データ）を処理する。ＲＡＭ１０は、ＣＰＵ９が処理する時のワークメモリ、ホスト３からのデータをページ単位に管理して一時記憶するバッファ、バッファに記憶されたデータを実際の印字パターンに変換し、ビデオデータを記憶するビットマップメモリ等に使われる。
【００２１】
ＮＶ−ＲＡＭ１１は、電源を切っても保持したいデータを格納しておくための不揮発性ＲＡＭである。プログラムＲＯＭ６は、コントローラ２内でのデータの管理や、周辺モジュールを制御するためのプログラムが格納されている。フォントＲＯＭ７は、印字に使用されるさまざまな種類のフォントを有する。エンジンＩ／Ｆ１２は、コントローラ２からプリンタエンジン１３への制御信号、プリンタ１からコントローラ２へのステータス信号のインタフェースである。プリンタエンジン１３は、コントローラ２からのビデオ信号および制御信号により図示しない感光体上に静電潜像を作り、現像し、また、図示しない給紙部より転写紙を給紙し、転写及び定着し、画像を形成する。パネルＩ／Ｆ８は、プリンタ１の状態、モード、フォント等の切替えを行う為の信号のインタフェースである。
【００２２】
操作パネル４は、プリンタ１の状態を示す表示部、及びプリンタのモード、フォント等を切替えるスイッチ部である。
【００２３】
ホストインタフェース５を通してホストから送られてきたデータは、ＣＰＵ９により印字データおよび印字制御データ（ＳＰ、ＣＲ、ＬＦ、ＨＴ、ＶＴ、…等）とその他に分けられ、印字データおよび印字制御データは、制御コードに変換されてバッファに記憶される。ホスト３からのプリント命令またはホストから受け取ったデータが１ページ分を超えた時、コントローラ２はまず、中間コードをビデオデータに変換し、それが終了したら、エンジンＩ／Ｆ１２を通してプリンタエンジン１３にプリントスタートの命令を出す。
【００２４】
以上のような一連の流れで、ホスト３からの印字データがプリンタエンジン１３を介して印字される。
【００２５】
図２は、図１のプリンタ１を使用した本実施形態におけるシステム構成を示す図である。本実施形態に係るシステムは、ホスト装置（ＰＣ）３と、ホスト装置３に接続されたプリンタ（印刷装置）１と、スキャナ２１と、印刷データの表示及び編集用のパーソナルコンピュータＰＣ２３とから基本的に構成され、この実施形態ではこの構成にさらにファクシミリ２２が接続されている。この実施形態では、プリンタ１内の記憶装置１５としてＮＶ−ＲＡＭ１１が使用されているが、大容量の記憶容量が必要な場合にはハードディスク装置などの大容量記憶装置が使用される。画像形成部１３はコントローラ２とプリンタエンジン１３から構成され、ホスト装置３やファクシミリ２２はＩ／Ｆを介してコントローラ２と接続されている。ＰＣ２３は図示しないＩ／Ｆを介して記憶装置１５と接続され、双方向に情報の送受信が可能である。
【００２６】
このシステムでは、ホスト３はプリンタ１の画像形成部１３、ここではコントローラ２にプリンタの印刷データを送信する。ホスト３はプリンタ１に対してイーサネット（登録商標）等のネットワークを介してデータを送信する。また、ファクシミリ２２は公衆回線を介して印刷データを画像形成部１３に送信する。また、スキャナ２１からはケーブルを介してスキャン画像が画像形成部１３に送られる。
【００２７】
画像形成部１３はホスト３、ファクシミリ２２、スキャナ２１から送られた印刷データを記憶装置１５、例えばＮＶーＲＡＭ１０や図示しないＨＤＤに蓄積する。操作パネル４は記憶装置１５から蓄積した情報を呼び出して表示部に印刷データの内容を表示し（所謂、プレビュー機能）、操作パネル４を操作して呼び出した蓄積データを編集し、記憶装置１５に戻す。記憶装置１５はＰＣ２３にも双方向に通信可能にＰＣ２３と接続され、ＰＣ２３では、操作パネル４と同様にプレビュー機能による蓄積データの表示や編集を行うことができる。
【００２８】
このように構成されたプリンタ１では、まず利用者が試し印刷や機密印刷等によりデータを装置内に蓄積する印刷を行う。すると、装置内の記憶装置１５に蓄積されたデータは、操作パネル４あるいはＰＣ２３上にその内容を表示させることができ、このデータが所望のデータであるかどうかを確認することができる。もし、この時点でページ順のミスや不要なページの存在が確認されたら、操作パネル４上あるいはＰＣ２３上でページの削除等の指示を行うことによりデータをページ単位で修正することができる。この指示やキーボードあるいは画面上から操作入力し、プリンタ１のプログラムＲＯＭ６に格納されたプログラムに従ってＣＰＵ９が処理し、あるいはＰＣ２３にダウンロードされたソフトウェアによりＰＣ２３のＣＰＵが処理する。これにより、誤りを含むデータを送信してしまった場合でも、ページ単位で修正してから印刷が可能となる。その結果、誤ったデータのまま印刷してしまった場合に必要となる無駄な労力をかけずに済むだけでなく、誤りがあった場合に修正したデータ全体を再度蓄積し直す手間をかけずにデータをその場で修正することが可能となり、利用者の利便性の向上に寄与することができる。
【００２９】
２．第２の実施形態
前記印刷データをページ単位で編集する機能として、ページの入れ替え、削除、複製を行うことができる。この入れ替え、削除、複製はエディタ機能を有するソフトウェア、例えばテキストエディタ、ワードプロセッサなどにより通常のＰＣで実行可能である。これにより、誤りを含むデータを送信してしまった場合でも、ページ単位で修正してから印刷が可能となるため、誤ったデータのまま印刷してしまった場合に必要となる無駄な労力をかけずに済むだけでなく、誤りがあった場合に修正したデータ全体を再度蓄積し直す手間をかけずにデータをその場で修正することが可能となり、利用者の利便性の向上に寄与することができる。
【００３０】
その他、特に説明しない各部は前述の第１の実施形態と同等に構成され、同等に機能する。
【００３１】
３．第３の実施形態
プリンタ１の記憶装置１５に蓄積されたデータが複数あるとき、蓄積データのうち２つを選択し、一方のデータを他方のデータの任意の位置に挿入する機能を持つように構成することもできる。この機能もプログラムにより実現され、テキストエディタ、ワードプロセッサなどの編集機能により容易に実現できる。このように構成すると、複数の蓄積データの内容をＰＣ２３の表示画面で閲覧しながら、一方のデータの任意の位置に他方の蓄積データ全てを挿入可能になるため、不足分のデータを後から作成して挿入したり、他の蓄積文書から必要ページを引用してくることなど、様々に応用が可能な印刷を行うことができ、利用者の利便性向上に寄与することができる。
【００３２】
その他、特に説明しない各部は前述の第１の実施形態と同等に構成され、同等に機能する。
【００３３】
４．第４の実施形態
記憶装置１５内に蓄積されたデータが複数あるとき、蓄積データのうち２つを選択し、一方のデータの任意の一部分のページを、他方のデータの任意の一部分のページと相互に入れ替える機能を持つように構成する。この機能もプログラムにより実現され、テキストエディタ、ワードプロセッサなどの編集機能により容易に実現できる。このように構成すると、蓄積データの内容を閲覧しながら、一方のデータの任意の一部分を、他方のデータの任意の一部分と入れ替えてデータを再構築できるため、複数の文書間で必要なページの交換を行ってそれぞれの文書を再構築するなど、様々に応用が可能な印刷を行うことができ、利用者の利便性向上に寄与することができる。
【００３４】
その他、特に説明しない各部は前述の第１の実施形態と同等に構成され、同等に機能する。
【００３５】
５．第５の実施形態
記憶装置１５内に蓄積されたデータが複数あるとき、蓄積データのうち２つを選択し、一方のデータの任意の一部分のページを、他方のデータの任意の位置に挿入する機能を持つように構成する。この機能もプログラムにより実現され、テキストエディタ、ワードプロセッサなどの編集機能により容易に実現できる。このように構成すると、複数の蓄積データの内容を閲覧しながら、一方のデータの一部分を他方に挿入することができるため、毎日・毎週のミーティングで使用するデータに、前回のデータの一部分を再掲するような文書の作成を、印刷を指示した後からページの編集により修正できるなど、様々に応用が可能な印刷を行うことができ、利用者の利便性向上に寄与することができる。
【００３６】
その他、特に説明しない各部は前述の第１の実施形態と同等に構成され、同等に機能する。
【００３７】
６．第６の実施形態
記憶装置１５内に蓄積されるデータと互換性を持つデータを、装置外で作成する機能を持ち、装置外のデータも前述の各編集機能により編集することができるように構成する。この機能もプログラムにより実現され、テキストエディタ、ワードプロセッサなどの編集機能により容易に実現できる。このように構成すると、装置内・装置外に関わらず、どちらのデータであってもページ単位で印刷データの編集が可能となる。
【００３８】
装置外で作成する方法としては、プリンタを例に考えれば、プリンタドライバが作成したデータを解析して装置内と互換性のある形式で保存することが可能なＰＣ上で動作する印刷データ管理アプリケーションに対して、プリンタドライバからデータを送って互換データを保存させる方法がある。このような方法を採用すれば、前述の例では、ＰＣ２３上に保存されたデータと本体内のデータとの間でページの入れ替え等のページ操作が行えることになる。
【００３９】
この装置外で作成するデータと編集する構成の概略を図３に示す。図３において、プリンタ（印刷装置）１の記憶装置１５とＰＣ２３の印刷データ管理アプリケーション２３３との間でデータの入れ替え、挿入などの編集が行えるように構成され、印刷データ管理アプリケーション２３３には、文書作成アプリケーション２３１によって作成された文書データがプリンタドライバ２３２を介して印刷データ管理アプリケーション２３３に入力され、前記文書データと前記記憶装置１５に蓄積されたデータとの間でデータの入れ替えや挿入などが行われる。
【００４０】
このように構成すると、プリンタ１内の記憶装置１５の容量を圧迫する虞があるため、積極的にプリンタ１内にデータを蓄積することが難しいような場合であっても、プリンタ１外のデータがプリンタ１内のデータと同様に扱えるようになるため、蓄積した印刷データのページ単位での編集がより容易になり、利用者の利便性向上に寄与することができる。
【００４１】
その他、特に説明しない各部は前述の第１の実施形態と同等に構成され、同等に機能する。
【００４２】
７．第７の実施形態
ホスト装置３からの印刷指示がデータの蓄積を指示していない印刷であっても、データをプリンタ１内の記憶装置１５に蓄積、あるいはプリンタ１階のＰＣに転送して蓄積しておく機能を設け、後から利用者の指示により、ページ単位で印刷データを編集した後、再印刷を行うことができるように構成することも可能である。これまでに述べた編集機能は、あくまで蓄積文書が対象であったため、通常の蓄積しない印刷を行ってしまった後、印刷結果を見て修正を行いたいと思った場合には対応できなかった。そこで、本発明においては、蓄積を指示しない印刷であっても、データを装置内に蓄積してしまうか、あるいは例えばＰＣのような装置外の機械にデータを転送して蓄積しておく機能を設けることにより、蓄積した場合と同様の利便性を得られるようにしている。これにより、様々な応用が利く印刷が可能となり、利用者の利便性向上に寄与することが可能となる。
【００４３】
その他、特に説明しない各部は前述の第１の実施形態と同等に構成され、同等に機能する。
【００４４】
なお、前記第１ないし第７の実施形態ではプリンタを例に取って説明しているが、複写機、ファクシミリ、これら（プリンタを含む）の機能を持つデジタル複合機（ＭＦＰ）などの画像形成装置全般に本発明が適用できることはいうまでもない。
【００４５】
以上のように前述の実施形態では、蓄積した印刷データを操作パネルや外部のＰＣ等で閲覧しながら、ページを単位として編集を行うことが可能なので、ページの入れ替えや不要ページの削除に柔軟に対応することができる。
【００４６】
複数の印刷データが存在する場合に、一方から他方への一部ページの挿入や入れ替えが可能なので、誤りを含む印刷データを正しいデータに修正することが容易に行え、印刷ミスを減少させることや、印刷後に不要な労力が不要となる。
【００４７】
誤った部分を修正するために、正しいページを含む印刷データを装置内に送信して蓄積させた後、蓄積されたファイル間でページの編集を行うのでは、装置内の記憶装置の容量を圧迫する虞があるが、例えばＰＣのような外部装置において、装置内の印刷データと互換性を持つデータを生成可能とし、装置内のデータと装置外のデータとの間でページの入れ替え・挿入等の編集を行うことができるので、蓄積した印刷データのページ単位での編集が容易になり、利用者の利便性向上に寄与することが可能となる。
【図面の簡単な説明】
【００４８】
【図１】本発明の第１の実施形態に係る印刷装置としてのレーザープリンタのハード構成を示すブロック図である。
【図２】図１のプリンタを使用した本実施形態におけるシステム構成を示す図である。
【図３】装置外で作成するデータと編集する構成の概略を示す図である。
【符号の説明】
【００４９】
１  プリンタ（印刷装置）
２  コントローラ
３  ホスト装置（ＰＣ）
４  操作パネル
１１  ＮＶ−ＲＡＭ
１３  プリンタエンジン（画像作成部）
１５  記憶装置
２１  スキャナ
２２  ファクシミリ
２３  ＰＣ
２３１  文書作成アプリケーション
２３２  プリンタドライバ
２３３  印刷データ管理アプリケーション
【図１】
2006123319.tif 000003
【図２】
2006123319.tif 000004
【図３】
2006123319.tif 000005